(57)【要約】      （修正有）【課題】ノーメンテナンス化、省エネ化、軽量化、汚損防止、取扱い容易化等を目指した案内表示板を提供する。【解決手段】略矩形形状の本体部枠体１１と支持枠体１２と案内表示部材２０とから成る案内表示板である。案内表示部材２０をメッシュ状シート材から形成する。案内表示部材２０の表面に表示される矢印等の案内表示用図柄２５を高輝度反射材を用いて形成する。支持枠体１２が本体部枠体１１の内側空間内に収納されて折り畳める。案内表示部材２０の外周縁部に複数のハトメ２７を形成し、このハトメ２７を利用して螺子１６により本体部枠体１１表面側に着脱自在に取り付けることができる。螺子１６にゴム製ブッシュ１５を介在させる。螺子１６と案内表示部材２０との間に横断面略Ｌ字形状のアングル材を介在させ、押え部材とする。案内表示部材２０の対向する側縁部略中央部分に挿通穴２３を設け、この挿通穴２３に手を挿通して本体部枠体１１を把持できる。【選択図】図３
0003153977.tif 000002
【実用新案登録請求の範囲】
【請求項１】
略四辺形形状の本体部枠体(11)と、本体部枠体(11)の背面で本体部枠体(11)を縦横自在に立設して支持する支持枠体(12)と、本体部枠体(11)の表面側に着脱自在に取り付けることができる案内表示部材(20)とから成り、
案内表示部材(20)が柔軟なメッシュ状シート材から形成され、
案内表示部材(20)の表面に表示される矢印等の案内表示用図柄(25)が高輝度反射材を用いて形成されたことを特徴とする案内表示板。
【請求項２】
支持枠体(12)が本体部枠体(11)の内側部分で回動自在に軸着されることにより、支持枠体(12)が本体部枠体(11)の内側空間内に収納されて折り畳めることを特徴とする請求項１に記載の案内表示板。
【請求項３】
案内表示部材(20)の外周縁部に複数のハトメ(27, 27, …)を形成し、このハトメ(27, 27, …)を利用して螺子(16)等の固定手段により案内表示部材(20)を本体部枠体(11)表面側に着脱自在に取り付けることができることを特徴とする請求項１又は２に記載の案内表示板。
【請求項４】
螺子(16)等の固定手段にゴム製ブッシュ(15)を介在させ、このゴム製ブッシュ(15)を案内表示部材(20)の押え材及び緩衝材としたことを特徴とする請求項３に記載の案内表示板。
【請求項５】
螺子(16)等の固定手段と案内表示部材(20)との間に横断面略Ｌ字形状のアングル材を介在させ、このアングル材が案内表示部材(20)の外周縁部の押え部材(28)となることを特徴とする請求項３又は４に記載の案内表示板。
【請求項６】
本体部枠体(11)の短辺側を縦枠(11t, 11t) として配置し、支持枠体(12)は、その両横枠(12y, 12y)を本体部枠体(11)の長辺側の両横枠(11y, 11y)に軸着し、本体部枠体(11)の両縦枠(11t, 11t)のそれぞれの上端部及び下端部に突出部(11p)を設け、且つ支持枠体(12)の縦枠(12t)の上端部及び下端部にも突出部(12p)を設け、
これら突出部(11p, 12p)の先端にはそれぞれゴム製部材等の滑り止め部材を設け、これら突出部と滑り止め部材が路面に対し３点の接地支持部となることを特徴とする請求項１乃至５の何れか１項に記載の案内表示板。
【請求項７】
支持枠体(12)を本体部枠体(11)の内側に収納する際に、支持枠体(12)の枠体と本体部枠体(11)との間に間隔を設けて収納できるようにし、
案内表示部材(20)には、少なくともその対向する側縁部略中央部分に挿通穴(23, 23)をそれぞれ設け、この挿通穴(23)に手を挿通して本体部枠体(11)を把持できる把持部としたことを特徴とする請求項２乃至６の何れか１項に記載の案内表示板。
【考案の詳細な説明】
【技術分野】
【０００１】
本考案は、道路上を走行する車両等を案内し又は誘導等するための矢印表示板等の各種案内表示板に関するものである。
【背景技術】
【０００２】
一般に交通規制材の設置に関しては、通常、車両が走行する道路上で、発炎筒を焚きながら、他の車両を誘導して規制材を設置している。
その交通規制材としては、これまでのものは鋼材等で製作されており、重量が重いという難点があった。
また、ＬＥＤ素子を使用した規制材も存在しているが、このＬＥＤ素子を使用したものにあっては、視認性の向上には寄与するものの、電池の交換やＬＥＤ表示部の故障が発生し、そのメンテナンス作業が面倒であり、省エネやエコロジーの観点からも種々問題があった。
【０００３】
更に、下記特許文献に記載の考案は看板に係るものであるが、本考案の案内表示板と同種のものである。
この看板は、 案内表示用図柄を記載した平板状の表示板と、この表示板の周縁部を係止して表示板を保持する額縁状の本体枠とを備え、表示板は、本体枠に対して取り替え可能なものであり、本体枠には開口部が設けられ、この開口部は、本体枠の上下左右の少なくとも一方の方向に設けられ、且つこの開口部を開閉できる蓋部を有しているものである。
ここで使用される表示板は、プラスチック製等の硬質のものである。
【０００４】
この特許文献に記載の考案は、表示板の取り付け作業等の取り扱いが容易で、かつ保管と輸送とに掛かる労力とコストとを大幅に低減することができることを目的としており、本考案の課題と共通する部分を有しているが、本考案においてはこの課題を更に良好に解決することを目的とするものである。
【先行技術文献】
【特許文献】
【０００５】
【特許文献１】実用新案登録第３１０５７６３号公報
【考案の概要】
【考案が解決しようとする課題】
【０００６】
即ち、本考案においては、矢印案内板等の案内表示板において、ノーメンテナンス化、即ち、電池交換が不要で、故障がなく、省エネ効果も有するものを提供することをその第一の課題としている。
また、従来の鋼材等からなるものよりも、より軽量で取扱い易く、耐風性にも優れたものを提供することも本考案の課題となる。
更に、案内表示板として、昼でも夜でもその視認性の良好なものを提供することも本考案の課題である。
【課題を解決するための手段】
【０００７】
上記課題を解決するために、本考案の第１のものは、略四辺形形状の本体部枠体と、本体部枠体の背面で本体部枠体を縦横自在に立設して支持する支持枠体と、本体部枠体の表面側に着脱自在に取り付けることができる案内表示部材とから成り、案内表示部材が柔軟なメッシュ状シート材から形成され、案内表示部材の表面に表示される矢印等の案内表示用図柄が高輝度反射材を用いて形成されたことを特徴とする案内表示板である。
【０００８】
本考案の第２のものは、上記第１の考案において、支持枠体が本体部枠体の内側部分で回動自在に軸着されることにより、支持枠体が本体部枠体の内側空間内に収納されて折り畳めることを特徴とする案内表示板である。
【０００９】
本考案の第３のものは、上記第１又は第２の考案において、案内表示部材の外周縁部に複数のハトメを形成し、このハトメを利用して螺子等の固定手段により案内表示部材を本体部枠体表面側に着脱自在に取り付けることができることを特徴とする案内表示板である。
【００１０】
本考案の第４のものは、上記第３の考案において、螺子等の固定手段にゴム製ブッシュを介在させ、このゴム製ブッシュを案内表示部材の押え材及び緩衝材としたことを特徴とする案内表示板である。
【００１１】
本考案の第５のものは、上記第３又は第４の考案において、螺子等の固定手段と案内表示板との間に横断面略Ｌ字形状のアングル材を介在させ、このアングル材が案内表示板の外周縁部の押え部材となることを特徴とする案内表示板である。
【００１２】
本考案の第６のものは、上記それぞれの考案において、本体部枠体の短辺側を縦枠として配置し、支持枠体は、その両横枠を本体部枠体の長辺側の両横枠に軸着し、本体部枠体の両縦枠のそれぞれの上端部及び下端部に突出部を設け、且つ支持枠体の縦枠の上端部及び下端部にも突出部を設け、これら突出部の先端にはそれぞれゴム製部材等の滑り止め部材を設け、これら突出部と滑り止め部材が路面に対し３点の接地支持部となることを特徴とする案内表示板である。
【００１３】
本考案の第７のものは、上記第２乃至第６の考案において、支持枠体を本体部枠体の内側に収納する際に、支持枠体の枠体と本体部枠体との間に間隔を設けて収納できるようにし、案内表示部材には、少なくともその対向する側縁部略中央部分に挿通穴をそれぞれ設け、この挿通穴に手を挿通して本体部枠体を把持できる把持部としたことを特徴とする案内表示板である。
【考案の効果】
【００１４】
本考案の第１のものにおいては、案内表示部材をメッシュ状シート部材から形成したために、従来の鋼材製のもと比較して大幅にその重量を軽量化することができた。
この案内表示部材は柔軟なものであるため、それを取り外して保管するに際してもこれを丸めて小さくすることができ、省スペースに役立つ。
また、案内表示部材は、メッシュ状であるために、強風に対しても案内板が倒れる恐れが少なくなり、耐風性能も十分に兼ね備えるものとなる。
更に、矢印等の案内表示用図柄が、高輝度反射材を使用しているために、昼間部でも夜間部でもその視認性が十分に良好に維持されるものとなる。
【００１５】
本考案の第２のものにおいては、支持枠体が本体部枠体の内側部分で軸着されていて、支持枠体が本体部枠体の内側空間内に収納されて折り畳めるために、折り畳んだ状態で、本体部枠体自体がその全体のサイズとなり、収納、保管に際して極めて便利なものとなる。
【００１６】
本考案の第３のものにおいては、案内表示部材の外周縁部に複数のハトメ（挿通孔部）を設けており、このハトメに螺子等の固定手段によって着脱式に取りつけ及び取外しができるものとなる。
従って、案内表示部材として、予め各種の案内表示用図柄のものを用意しておくことによって、簡単にその案内表示用図柄を異なるものと交換できる。或いは、その案内表示部材が汚れたり、破損したりした場合には、その新しいものと容易に交換することも可能となる。
【００１７】
本考案の第４のものにおいては、螺子等の固定手段と案内表示部材との間にゴム製ブッシュを介在させることにより、これが案内表示部材の押え材として、また案内表示板が倒れた際の緩衝材として、更には案内表示板が倒れた際の、汚損防止用の部材となるのである。
【００１８】
本考案の第５のものにおいては、案内表示部材の押え部材として、アングル材を用いて、このアングル材によって案内表示部材の外周縁部を押えることが可能となり、案内表示部材の外周縁部がこのアングル部材によってきっちりと押えられ、その外周縁部が捲れてしまうことが防止される。
【００１９】
本考案の第６のものにおいては、案内表示板として長方形のものを使用し、その長辺側を横枠として配置する場合であって、支持枠体は、その両横枠を本体部枠体の両横枠に軸着したものである。
ここにおいて、本体部枠体の両側の縦枠のそれぞれの上端部と下端部に突出部を設け、また支持枠体の縦枠にもその上端部と下端部に突出部を設け、更にこれらの突出部の先端には滑り止め部材を設けることによって、前記突出部と滑り止め部材が路面に対して３点で接地することとなり、この３点支持によって案内表示板がグラつくことなく、確実にしっかりと路面に対して立設させることができるのである。
突出部と滑り止め部材をそれぞれ縦枠の上端部と下端部の両方に設けたのは、上方又は下方の何れをも下にして立設させることができるからである。つまり、上下逆に立設しても３点支持が可能となるからである。
【図面の簡単な説明】
【００２０】
【図１】本考案に係る案内表示板の一実施形態に係る全体斜視図であって、案内表示部材を取り除いた状態の本体部枠体と支持枠体を図示したものである。
【図２】上記実施形態に係る案内表示板を図１の状態から９０度反時計回りに回転して、縦長にして立設した状態を図示する斜視説明図である。
【図３】上記実施形態において、本体部枠体と支持枠体、及びこれに取り付ける案内表示部材を分解して表示した斜視説明図である。
【図４】上記実施形態において、本体部枠体の表面側で、案内表示部材の外周の縁取部を押さえ付ける押え部材を分離して示す斜視説明図である。
【考案を実施するための形態】
【００２１】
以下、添付の図面と共に本考案の一実施形態について説明する。
図１は、本考案に係る案内表示板の一実施形態に係る全体斜視図であって、案内表示部材を取り除いた状態の本体部枠体と支持枠体とを図示したものである。
案内表示部材を取り除いて表示したのは、本体部枠体と支持枠体との構成を明瞭に示すためである。
【００２２】
本考案に係る案内表示板１０は、長方形形状の本体部枠体１１と、この本体部枠体１１を背面側で、立設した状態に支持する略コ字形状の支持枠体１２とから構成される。
これら本体部枠体１１と支持枠体１２は、アルミニウム製である。
本考案では、この本体部枠体１１を横長の状態で使用している。後に説明するように、案内表示部材として矢印表示シートを使用するために、横長の状態で使用するのが相応しいからである。
勿論、この本体部枠体１１を縦長の状態で使用することもできるが、それについては次図において説明する。また本体部枠体が略正方形形状であってもよい。
【００２３】
本体部枠体１１は、上下の横枠１１ｙ、１１ｙと、左右の縦枠１１ｔ、１１ｔとから構成され、それぞれの縦枠１１ｔの上端部及び下端部が延長されて、突出部１１ｐが設けられ、その突出部１１ｐの先端にはゴム製の滑り止め部材１１ｇが設けられている。
これら突出部１１ｐと滑り止め部材１１ｇが、路面に対する接地部となる。滑り止め部材はゴム製でなくともよく、他の摩擦抵抗の高い部材を利用できる。
本体部枠体１１の四隅と、横枠１１ｙの左右側に、それぞれゴム製ブッシュ１５を介在させて螺子１６が螺着されている。螺子１６の頭部は、ゴム製ブッシュ１５の前方端面に形成された穴部の内部に位置し、その頭部はブッシュ１５の前方端面から後退した位置に位置する。
この構成により、仮に案内表示板１０が前方側に倒れても、後に説明する案内表示部材の表面が汚損されることがなくなる。即ち、上記ゴム製ブッシュ１５は、緩衝材或いは接地した際のスペーサーの役目を担うこととなるのである。
【００２４】
支持枠体１２は、上記した通り、略コ字形状を有しており、２本の横枠１２ｙと、図中右端側の縦枠１２ｔとから成り、縦枠１２ｔの少し左側には補強枠１２ｈが掛け渡されている。
この支持枠体１２は、その２本の横枠１２ｙの先端部で、本体部枠体１１の横枠１１ｙに軸着されている。
そして、支持枠体１２を折り畳んで、本体部枠体１１の内側空間内に収納する際に、この支持枠体１２の横枠１２ｙと、本体部枠体１１の横枠１１ｙとの間に間隔を設けるために、取付部１８、１８を設け、この取付部１８に支持枠体１２の横枠１１ｙの端部を軸着しているのである。
【００２５】
支持枠体１２の横枠１２ｙと本体部枠体１１の横枠１１ｙとの間に間隔を開けたのは、後に説明するが、案内表示部材に設けた把持部（挿通穴）を利用して、案内表示板１０を折り畳んだ状態で、その挿通穴を利用して本体部枠体１１の枠体を手で把持できるようにするためである。
この支持枠体１２を回動させて、本体部枠体１１の内部空間に収納するように折り畳むと、支持枠体１２の縦枠１２ｔが、本体部枠体１１の図中左側の縦枠１１ｔの内側に設けられたアングル材からなるストッパー部材１９に当接して、本体部枠体１１と支持枠体１２とが適切に折り畳まれ、支持枠体１２が本体部枠体１１の内部空間内に完全に収納されるのである。
【００２６】
支持枠体１２の縦枠１２ｔの上下の端部には突起部１１ｐがそれぞれ設けらており、この突起部１１ｐは、それ自体がゴム製部材からなる滑り止め部材から形成されている。
この突起部１１ｐが路面への接地部となるのである。
従って、図示したとおり、本考案に係る案内表示板１０が横長に立設された状態で、両側の縦枠１１ｔの下端部の突出部１１ｐ及び滑り止め部材１１ｇと、前記支持枠体１２の突出部１２ｐとの３点で、路面に接地することとなる。
この３点接地により、本考案に係る案内表示板１０は、路面の凹凸状態に左右されずに、ガタつくことなく、安定した状態で立設できることとなる。
この３点接地は、上下を逆にして立設しても同じである。
【００２７】
また図１に図示した横長使用の場合には、支持枠体１２を略９０度回動した状態で、図には現れていないが、取付部１８に設けた突起により、その回動が停止されるように構成している。
つまり、図１の横長使用の場合には、設置する路面の状況等に合せて、支持枠体１２を、本体部枠体１１の内部に収納された状態から略９０度回動された状態の間の任意の位置に回動し、開放して使用することができるのである。
【００２８】
図２は、上記実施形態に係る案内表示板１０を図１の状態から９０度反時計回りに回転して、縦長にして立設した状態を図示する斜視説明図である。
案内表示部材の案内表示の図柄又は表示内容に応じて、縦長に使用する必要もあるからである。
この図では、支持枠体１２を収納状態から後方に略４０度程度開放して、一方の取付部１８に設けられた支持腕１４を回動させて、その先端部分を横枠１２ｙ（縦横は図１に基づくために図２では縦横が逆になる。）に係合させて、支持・固定することができる。この構成は、従来の構成と同様である。
【００２９】
この状態で、支持枠体１２が本体部枠体１１を縦長の状態に立設して支持することができるのである。
この縦長使用の場合には、路面への接地は、本体部枠体１１の一方の縦枠１１ｔと、支持枠体１２の縦枠１２ｔとの２本の枠体による接地となり、前記図１の場合のように３点接地による支持とはならないが、両者の縦枠１１ｔ、１２ｔの長さが短いことにより、問題は生じない。
また、図中３０は、支持枠体１２のそれぞれの横枠１２ｙに設けたフックであり、このフック３０に紐状部材の一方端を引っ掛け、その紐状部材の他方端部に各種の錘等を固定し、本考案に係る案内表示板の転倒を防止する手段に利用することができるものである。
【００３０】
図３は、上記本体部枠体と支持枠体、及びこれに取り付ける案内表示部材を分解して表示した斜視説明図である。
案内表示部材２０は、本体部枠体１１の表面側にゴム製ブッシュ１５付きの螺子１６によって螺着されるものである。
この案内表示部材２０は、本体部枠体１１の外形形状にほぼ合致する略長方形形状を有し、約５ｍｍ程度の網目からなる繊維製メッシュ生地２１の表面に合成樹脂を被覆したものから形成され、その４辺の外周縁部には合成樹脂製帯状部材からなる縁取部２２とから形成されている。
【００３１】
横長の上辺及び下辺の縁取部２２の略中央部には、それぞれ横長の挿通穴２３を設け、この挿通穴２３が後に説明する把持部となる。
案内表示部材２０の略中央部には、案内表示用図柄２５として、この実施形態においては「矢印」を表示している。
この「矢印」は、高輝度反射シートを利用して形成しており、中央の矢印部２５ｒを赤色のもの、その外周部２５ｓを蛍光黄緑色のものを使用している。これら矢印の表面にはクリアー塗装を行って、表面を保護している。
この案内表示用図柄２５の色彩は、任意に採用することができ、その反射シートも既に開発されている高輝度のものを適宜採用することができる。
【００３２】
案内表示部材２０の外周縁部の縁取部２２には、ハトメ２７が全部で８箇所形成されている。ハトメ２７の穴部周縁部には、補強部材として金属製円環部材がカシメ形成されている。
このハトメ２７を利用して、ゴム製ブッシュ１５付きの螺子１６によって、この案内表示部材２０が本体部枠体１１の表面側に装着され、固定される。
従って、ハトメ２７に対応する本体部枠体１１のそれぞれの横枠１１ｙ及び縦枠１１ｔには螺子孔１７が８箇所に設けられている。
【００３３】
この案内表示部材２０が本体部枠体１１に取り付けられると、その上辺と下辺に設けられた挿通穴２３が丁度本体部枠体１１の横枠１１ｙのそれぞれの内側に位置する。
これにより、挿通穴２３に手の指を挿通して、横枠１１ｙを把持することができる。
その際に、支持枠体１２を回動させて、本体部枠体１１の内部空間に収納させた際も、取付部１８の存在により、支持枠体１２の横枠１２ｙと本体部枠体１１の横枠１１ｙとの間に間隔が生じるので、挿通穴２３に手を挿通させるのに何ら問題が生じないのである。
【００３４】
この実施形態においては、次の図４で説明するが、案内表示部材２０は、実際にはその外周４辺で、押え部材によって適切にその外周縁部が押え付けられて螺着されるのであるが、図示の都合上、理解し易いように、上記図３と図４に分けて図示し、説明を加えている。
図４は、本体部枠体１１の表面側で、案内表示部材２０の外周の縁取部２２を押さえ付ける押さえ部材を分離して示す斜視説明図である。
【００３５】
この押え部材２８は、本体部枠体１１の横枠１１ｙ及び縦枠１１ｔのそれぞれ４本の枠体の表面側に接合されるもので、横断面Ｌ字形状のアングル材から成り、本体部枠体１１と同じアルミ製である。
本体部枠体１１の上下の横枠１１ｙには、横枠１１ｙとほぼ同じ長さのアングル材からなる横押え部材２８ｙが接合する。この横押さえ部材２８ｙの正面部２８ｆが案内表示部材２０の上片及び下辺の縁取部２２を良好に押さえ付けることができる。
【００３６】
本体部枠体１１の左右の縦枠１１ｔには、縦枠１１ｔとほぼ同じ長さの縦押え部材２８ｓと、この側方部２８ｓよりも短い長さの正面部２８ｆとが略直角に折曲した縦押え部材２８ｔが接合し、この縦押え部材２８ｔの正面部２８ｆが、図示はしていないが案内表示部材２０の左辺及び右辺の縁取部２２を良好に押さえ付けることができる。
それぞれの横押え部材２８ｙと縦押え部材２８ｔには、本体部枠体１１に形成された螺子孔１７に対応する位置に、螺子挿通孔２８ｈがそれぞれ形成されている。
【００３７】
以上の構成により、押え部材２８を外した状態で、案内表示部材２０を本体部枠体１１の表面側に接合し、その外周の縁取部２２を本体部枠体１１のそれぞれの横枠１１ｙ及び縦枠１１ｔの表面側に接合し、その後、縦押え部材２８ｔ及び横押え部材２８ｙのそれぞれを本体部枠体１１の表面側に接合する。
その際に、本体部枠体１１の螺子孔１７、案内表示部材２０のハトメ２７、及び押え部材２８の螺子挿通孔２８ｈのそれぞれの位置を合致させる。
そしてゴム製ブッシュ１５付きの螺子１６によって螺着して本考案に係る案内表示板が形成されるのである。
別の案内表示用図柄のものに交換するときは、上記の手順と逆の手順により案内表示部材を取り外して交換すればよいのである。
【００３８】
以上本考案の一実施形態について説明したが、本考案においては以下の通り各種その形態を変更することができる。
本体部枠体は略長方形形状のものを使用したが、これが略正方形のものであってもよいが、本考案においては、その立設方向を縦横に変換できるため、略長方形が相応しく、それにより横長の或いは縦長の案内表示図柄に対応させることができる。
折り畳んだ状態で、支持枠体の横枠を本体部枠体の横枠と間隔を設けずに形成することもできる。その際は、把持部となる挿通穴をそれぞれの枠体が接合しない部位に設ければよいのである。
【００３９】
本体部枠体の短辺側の縦枠の上下の端部を延長して突出部を形成したが、この突出部もこれを設けずに実施することもできる。舗装の完備した路面で使用する際には、３点支持でなくとも問題はないからである。
突出部の先端に形成する滑り止め部材も任意の構成部材である。
案内表示部材も、メッシュ状シート材から形成されていれば、どのような素材から形成してもよく、そのメッシュの網目の大きさも全く自由に設定することができる。
【００４０】
案内表示部材に表示する案内表示図柄も全く自由であって、進入禁止の表示、山形の連続等々、必要に応じて適宜デザイン変更することができる。
勿論、反射シート材からなる高輝度反射材も既存の最も効率のよいものを採用すればよく、その色彩も自由に設定することができる。
案内表示部材に設ける把持部としての挿通穴も１個のみでもよく、その数は自由に選択することができ、支持枠体の横枠１２ｙを本体部枠体１１の横枠１１ｙと間隔を設けて形成した際は、その位置も自由に設定することができ、その数も自由である。
【００４１】
以上、本考案は、案内表示部材として柔軟なメッシュ状シート材を採用して耐風性を向上させて転倒を防止でき、その全体の重量も極めて軽量とすることができ、仮に倒れても案内表示部材が路面に接触することがないためにその汚損の防止にも優れ、尚且つ縦横自由に変更して使用でき、案内表示部材の交換も容易で、保管する際は本体部枠体の内部に支持枠体が収納されてコンパクトとなり、昼夜共に極めて視認性に優れ、再使用・継続使用が可能で耐久性に富み、省エネにも寄与できる極めて多大な効果を有する案内表示板を提供することができたものである。
【符号の説明】
【００４２】
１０  案内表示板
１１  本体部枠体
１１ｙ  横枠
１１ｔ  縦枠
１１ｐ  突出部
１１ｇ  滑り止め部材
１２  支持枠体
１２ｙ  横枠
１２ｔ  縦枠
１５  ゴム製ブッシュ
１６  螺子
１７  螺子孔
１８  取付部
２０  案内表示部材
２２  縁取部
２３  挿通穴
２５  案内表示用図柄
２７  ハトメ
２８  押え部材
【図１】
0003153977.tif 000003
【図２】
0003153977.tif 000004
【図３】
0003153977.tif 000005
【図４】
0003153977.tif 000006